(57)【要約】【課題】住戸の居住者が高齢者である場合、この居住者が、来訪者の音声を聞き取りやすくすることができるインターホンシステムを提供することを目的とする。【解決手段】玄関に設置される集合玄関機と、住戸内に設置される住宅情報盤とを具備し、集合玄関機に設けられる通話手段と住宅情報盤に設けられる通話手段との間でインターホン通話を行うインターホンシステムにおいて、住宅情報盤は、インターホン通話を行う際、住宅情報盤の通話手段のスピーカから聞こえる来訪者の音声を改善させたいときに操作する通話改善ボタンと、通話改善ボタンが操作されると、通話改善要求信号を送信する送信手段とを有し、集合玄関機は、通話改善要求信号を受信する受信手段と、集合玄関機の受信手段が通話改善要求信号を受信すると、通話改善要求信号に応じた内容を、集合玄関機の盤面に表示する表示手段とを有するインターホンシステムである。【選択図】図２
2011205325.tif 000002
【特許請求の範囲】
【請求項１】
玄関に設置される玄関機と、住戸内に設置される住宅情報盤とを具備し、上記玄関機に設けられる通話手段と上記住宅情報盤に設けられる通話手段との間でインターホン通話を行うインターホンシステムにおいて、
上記住宅情報盤は、
上記インターホン通話を行う際、上記住宅情報盤の上記通話手段のスピーカから聞こえる来訪者の音声を改善させたいときに操作する通話改善ボタンと；
上記通話改善ボタンが操作されると、通話改善要求信号を送信する送受信手段と；
を有し、
上記玄関機は、
上記通話改善要求信号を受信する送受信手段と；
上記玄関機の送受信手段が上記通話改善要求信号を受信すると、上記通話改善要求信号に応じた内容を、上記玄関機の盤面に表示する表示手段と；
を有することを特徴とするインターホンシステム。
【請求項２】
請求項１において、
上記通話改善ボタンは、ゆっくりと話してもらうことを居住者が来訪者に望む場合に押すゆっくり話すボタンと、大きな声で話してもらうことを居住者が来訪者に望む場合に押す大きな声で話すボタンとを有するボタンであり、
上記表示手段は、「ゆっくり話して下さい」と表示する表示板と、「大きな声で話して下さい」と表示する表示板とを有する手段であることを特徴とするインターホンシステム。
【請求項３】
玄関に設置される玄関機と、住戸内に設置される住宅情報盤とを具備し、上記玄関機に設けられる通話手段と上記住宅情報盤に設けられる通話手段との間でインターホン通話を行うインターホンシステムにおいて、
上記住宅情報盤は、
上記インターホン通話を行う際、上記住宅情報盤の上記通話手段のスピーカから聞こえる来訪者の音声を改善させたいときに操作する通話改善ボタンと；
上記通話改善ボタンが操作されると、通話改善要求信号を送信する送受信手段と；
を有し、
上記玄関機は、
上記通話改善要求信号を受信する送受信手段と；
上記玄関機の送受信手段が上記通話改善要求信号を受信すると、上記玄関機のマイクの出力信号を増幅する増幅手段と；
を有することを特徴とするインターホンシステム。
【請求項４】
請求項１または請求項３において、
上記住宅情報盤は、通話音量のレベルを表示する表示手段を有することを特徴とするインターホンシステム。
【発明の詳細な説明】
【技術分野】
【０００１】
本発明は、インターホンシステムに関する。
【背景技術】
【０００２】
従来、玄関に設置される玄関子機と、信号線を介して上記玄関子機と接続され、室内に設置されている住宅情報盤とを有するインターホンシステムが知られている（たとえば特許文献１参照）。上記玄関子機と上記住宅情報盤とは、スピーカと通話用マイクとを具備する通話手段を有する。
【０００３】
来訪者が玄関子機を操作し、来訪者と居住者とがインターホン通話する際に、来訪者の声が小さいことがあり、また、来訪者が早口で話すことがあり、これらによって聞き取りづらいことがある。
【０００４】
これを解決するために、インターホンシステムの住宅情報盤は、通話時に通話音量を調整することができる機能を有し、通話時にスピーカからの音量を大きくすることが可能である。
【先行技術文献】
【特許文献】
【０００５】
【特許文献１】特開２００２−２６１９４５公報
【発明の概要】
【発明が解決しようとする課題】
【０００６】
しかし、住戸に住む居住者が高齢者であって、住宅情報盤の操作に慣れていない場合、通話中に音量を調整することが難しい。特に、高齢者や、耳の遠い人は、普段から、住宅情報盤において音量を最大レベルに設定している場合があり、この場合には、音量をそれ以上大きくすることができないが、それでもまだ音量が小さいと感じれば、聞きづらいという問題がある。
【０００７】
また、上記従来例では、話速変換機能等を有し、話す速度を落とす機能を備えているインターホンが知られているが、そのコストが高いという問題がある。
【０００８】
本発明は、住戸の居住者が高齢者である場合、この居住者が、簡単な操作で来訪者の音声を聞き取りやすくすることができるインターホンシステムを提供することを目的とする。
【０００９】
また、本発明は、話速変換機能を使用せずに、来訪者の音声を聞き取りやすくすることができるインターホンシステムを提供することを目的とする。
【課題を解決するための手段】
【００１０】
本発明は、玄関に設置される玄関機と、住戸内に設置される住宅情報盤とを具備し、上記玄関機に設けられる通話手段と上記住宅情報盤に設けられる通話手段との間でインターホン通話を行うインターホンシステムにおいて、上記住宅情報盤は、上記インターホン通話を行う際、上記住宅情報盤の上記通話手段のスピーカから聞こえる来訪者の音声を改善させたいときに操作する通話改善ボタンと、上記通話改善ボタンが操作されると、通話改善要求信号を送信する送信手段とを有し、上記玄関機は、上記通話改善要求信号を受信する受信手段と、上記玄関機の受信手段が上記通話改善要求信号を受信すると、上記通話改善要求信号に応じた内容を、上記玄関機の盤面に表示する表示手段とを有することを特徴とするインターホンシステムである。
【発明の効果】
【００１１】
本発明によれば、音声の大きさやスピードの調整を来訪者に促す表示手段が、玄関機に設けられ、この玄関機の表示を来訪者が見れば、来訪者がゆっくり話すようになり、また大きな声で話すようになり、したがって、来訪者の音声を、居住者が聞き取りやすくなるという効果を奏する。
【図面の簡単な説明】
【００１２】
【図１】本発明の実施例１であるインターホンシステム１００を示すブロック図である。
【図２】インターホンシステム１００のより具体的な構成を示すブロック図である。
【図３】本発明の実施例２であるインターホンシステム２００における集合玄関機１０ａの構成を示すブロック図である。
【発明を実施するための形態】
【００１３】
発明を実施するための形態は、以下の実施例である。
【実施例１】
【００１４】
図１は、本発明の実施例１であるインターホンシステム１００を示すブロック図である。
【００１５】
インターホンシステム１００は、集合住宅の各住戸内に設けられている住宅情報盤ＪＢ１０１、…、ＪＢ３０３、…と、集合玄関に設けられている玄関機としての集合玄関機１０と、上記住宅情報盤と集合玄関機１０との間におけるインターホン通話を制御する制御装置２０と、管理室親機３０とを有する。なお、管理室親機３０は、管理室に設けられ、住宅情報盤ＪＢ１０１、…、ＪＢ３０３、…と基本的には同様な機能を有し、制御装置２０に接続されている。
【００１６】
これらの機器は、制御信号線Ｌｃと音声信号線Ｌａとを介して接続され、必要に応じて映像信号線にも接続される。
【００１７】
１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関機としての玄関子機Ｃ１０１が接続され、住宅情報盤ＪＢ３０３に、玄関子機Ｃ３０３が接続されている。
【００１８】
図２は、インターホンシステム１００のより具体的な構成を示すブロック図である。
【００１９】
集合玄関機１０は、制御手段１１と、操作手段１２と、送受信手段１３と、通話手段１４と、マイク１５と、スピーカ１６と、表示手段１７とを有する。
【００２０】
制御手段１１は、ＭＰＵ（マイクロプロセッサ）等から構成され、集合玄関機１０の全体を制御する。
【００２１】
操作手段１２は、テンキー１２１と、呼出手段１２２とを有する。テンキー１２１は、インターホンの通話相手の住戸番号を入力するキーであり、呼出手段１２２は、住戸番号を入力した後に相手を呼び出すボタンである。
【００２２】
送受信手段１３は、制御信号を送受信し、後述の通話改善要求信号を受信する受信手段の例である。通話手段１４は、音声信号を送受信し、マイク１５とスピーカ１６とが接続されている。
【００２３】
表示手段１７は、「ゆっくり話して下さい」と表示する表示板１７１と、「大きな声で話して下さい」と表示する表示板１７２とを有する。
【００２４】
住宅情報盤ＪＢ１０１は、制御手段４１と、操作手段４２と、送受信手段４３と、通話手段４４と、マイク４５と、スピーカ４６と、表示手段４７と、通話接続スイッチＳＷとを有する。
【００２５】
制御手段４１は、住宅情報盤ＪＢ１０１の全体を制御する。
【００２６】
操作手段４２は、通話ボタン４２１と、通話改善ボタン４２２とを有する。通話ボタン４２１は、通話開始時に押し、通話終了時にも押すボタンである。通話改善ボタン４２２は、ゆっくり話すボタンＢ１と、大きな声で話すボタンＢ２とを有する。ゆっくり話すボタンＢ１は、ゆっくりと話してもらうことを居住者が来訪者に望む場合に押すボタンである。大きな声で話すボタンＢ２は、大きな声で話してもらうことを居住者が来訪者に望む場合に押すボタンである。つまり、通話改善ボタン４２２は、インターホン通話を行う際、住宅情報盤の通話手段のスピーカから聞こえる来訪者の音声を改善させたいときに操作する通話改善ボタンの例である。
【００２７】
送受信手段４３は、制御信号を送受信し、通話改善ボタン４２２のゆっくり話すボタンＢ１または大きな声で話すボタンＢ２が操作されると、通話改善要求信号を送信する送信手段の例である。通話手段４４は、音声信号を送受信し、マイク４５と、スピーカ４６とが接続されている。
【００２８】
表示手段４７は、通話改善ボタン４２２が押されたときに、そのことを知らせる内容を表示する。たとえば、ＬＥＤを光らせて知らせてもよいし、「ゆっくり話して下さい」または、「大きな声で話して下さい」と表示してもよい。また、表示手段４７に、通話音量のレベルを表示するようにしてもよい。
【００２９】
通話接続スイッチＳＷは、集合玄関機から呼び出されている間に居住者が通話ボタン４２１を押すと、制御手段４１によってオンされるスイッチであり、集合玄関機１０と住宅情報盤ＪＢ１０１との間で通話を可能にするスイッチである。
【００３０】
なお、住宅情報盤ＪＢ１０１以外の住宅情報盤の構成、動作は、住宅情報盤ＪＢ１０１の構成、動作と同様である。
【００３１】
次に、実施例１の動作について説明する。
【００３２】
まず、インターホンシステム１００における一般的な動作について、集合住宅を例にとって説明し、また、住宅情報盤ＪＢ１０１に着目して説明する。
【００３３】
来訪者が、集合玄関機１０のテンキー１２１によって、所望の住戸番号、たとえば１０１号室に対応する住戸番号１０１を指定し、呼出手段１２２を操作すると、制御信号線Ｌｃを介して、呼出信号が呼出先の住戸１０１号室の住宅情報盤ＪＢ１０１に送られる。
【００３４】
そして、呼出先の住戸１０１号室の住宅情報盤ＪＢ１０１の送受信手段４３が上記呼出信号を受信すると、図示しない呼出音発生部が動作し、スピーカ４６から呼出音が鳴る。このときに、住戸１０１号室内の居住者が、通話ボタン４２１を押すと、通話接続スイッチＳＷがオンし、住宅情報盤ＪＢ１０１の通話手段４４と、集合玄関機１０に設けられている通話手段１４とが音声信号線Ｌａを介して接続され、両者でインターホン通話を実行することができる。
【００３５】
次に、インターホンシステム１００における特徴的な動作について説明する。
【００３６】
来訪者と居住者とがインターホン通話を行う際、居住者は住宅情報盤ＪＢ１０１のスピーカ４６から聞こえる来訪者の音声が聞き取りにくく、その音声を改善させたいときには、住宅情報盤ＪＢ１０１に設けられている通話改善ボタン４２２を操作する。通話改善ボタン４２２として、来訪者にゆっくり話してもらいたいときに押すゆっくり話すボタンＢ１や、来訪者に大きな声で話してもらいたいときに押す大きな声で話すボタンＢ２である。通話改善ボタン４２２は、盤面に設けられている独立したボタンであってもよく、タッチパネル式のモニタ上に表示されるボタンであってもよい。
【００３７】
通話改善ボタン４２２を操作すると、送受信手段４３が通話改善要求信号を送信するように、制御手段４１が制御する。通話改善要求信号は、制御信号線Ｌｃを介して集合玄関機１０に送られ、集合玄関機１０の送受信手段１３が通話改善要求信号を受信する。
【００３８】
集合玄関機１０の送受信手段１３が通話改善要求信号を受信すると、集合玄関機１０の制御手段１１が、集合玄関機１０の盤面に設けられている表示手段１７を、たとえば点滅させるように制御する。表示手段１７は、通話改善ボタン４２２の操作に応じて、通話の改善を来訪者に要求する表示パネルであり、常時はたとえばバックライトが消灯している。
【００３９】
居住者が住宅情報盤ＪＢ１０１の通話改善ボタン４２２のうちのゆっくり話すボタンＢ１を操作すると、集合玄関機１０の表示手段１７の「ゆっくり話して下さい」の表示パネル１７１のバックライトが点滅する。また、居住者が住宅情報盤ＪＢ１０１の通話改善ボタン４２２のうちの大きな声で話して下さいボタンＢ２を操作すると、集合玄関機１０の表示手段１７の「大きな声で話して下さい」の表示パネル１７２のバックライトが点滅する。
【００４０】
「ゆっくり話して下さい」の表示パネル１７１のバックライトが点滅し、来訪者が、これを視認すると、話す速度を遅くすることが期待される。「大きな声で話して下さい」の表示パネル１７２のバックライトが点滅し、来訪者が、これを視認すると、もっと大きな声で話し掛けることが期待される。
【００４１】
表示手段１７は、集合玄関機１０の盤面に設けられるが、来訪者に見やすいような位置、たとえば集合玄関機１０の通話手段１４のマイク１５の近傍に設けられることが好ましい。また、表示手段１７は、集合玄関機１０の送受信手段１３が上記通話改善要求信号を受信すると、「ゆっくり話して下さい」の表示パネル１７１のバックライトが点滅し、「大きな声で話して下さい」の表示パネル１７２のバックライトが点滅するが、点滅する代わりに、常時点灯するようにしてもよい。
【００４２】
さらに、表示手段１７は、集合玄関機１０の送受信手段１３が上記通話改善要求信号を受信すると、上記通話改善要求信号に応じた内容を、集合玄関機１０の盤面に表示するが、上記通話改善要求信号に応じた内容を、文字で表示してもよく、アニメーション等、図柄で表示するようにしてもよい。
【００４３】
実施例１によれば、音声の大きさやスピードの調整を来訪者に促す表示手段１７が、集合玄関機１０に設けられ、この集合玄関機１０の表示に応じて、来訪者がゆっくり話すようになり、また大きな声で話すようになり、したがって、来訪者の音声を、居住者が聞き取りやすくなる。特に、住宅情報盤ＪＢ１０１の操作に不慣れな高齢者である居住者にとって便利である。
【００４４】
また、実施例１によれば、話速変換機能を使用せずに、来訪者の音声を聞き取りやすくすることができる。
【実施例２】
【００４５】
図３は、本発明の実施例２であるインターホンシステム２００における集合玄関機１０ａの構成を示すブロック図である。
【００４６】
インターホンシステム２００は、インターホンシステム１００において、集合玄関１０の代わりに、集合玄関機１０ａを設けたものである。集合玄関機１０ａは、集合玄関機１０において、マイク１５の出力信号を増幅する増幅手段１８を追加し、表示手段１７の代わりに、表示手段１７ａを設けたものである。
【００４７】
つまり、集合玄関機１０ａは、制御手段１１ａと、操作手段１２と、送受信手段１３と、通話手段１４と、マイク１５と、スピーカ１６と、表示手段１７ａと、増幅手段１８と、増幅率調整回路１９とを有する。
【００４８】
制御手段１１ａは、ＭＰＵ（マイクロプロセッサ）等から構成され、集合玄関機１０ａの全体を制御する。
【００４９】
表示手段１７ａは、「ゆっくり話して下さい」と表示する表示板１７１と、「大きな声で話して下さい」と表示する表示板１７２と、住戸番号／通話音量のレベルを表示する表示板１７３とを有する。住戸番号／通話音量のレベルを表示する表示板１７３は、インターホン通話開始前に呼出住戸に対応する住戸番号を表示し、インターホン通話開始後に、通話音量のレベルを表示するように表示を切り換える。
【００５０】
増幅手段１８（増幅回路）は、たとえば電子ボリューム等で構成され、マイク１５が出力した音声信号を増幅する増幅回路の一例であり、制御手段１１ａまたは増幅率調整回路１９からの電気的な信号によって、制御される。つまり、増幅手段１８は、集合玄関機の送受信手段１３が通話改善要求信号を受信すると、上記集合玄関機のマイクの出力信号を増幅する増幅手段の例である。
【００５１】
なお、上記電子ボリュームは、マイコン（制御手段）からの信号によって、電気的に音量を制御する手段である。また、上記電子ボリュームの代わりに、複数の抵抗を有する回路において、電気的にその抵抗を切り換えることによって、音量を調整する回路を使用するようにしてもよい。
【００５２】
増幅率調整回路１９は、住宅情報盤ＪＢ１０１が出力した通話改善要求信号に基づいて、増幅手段１８の増幅率を調整する回路である。
【００５３】
来訪者の音声を大きくしたいときに、居住者が大きな声で話すボタンＢ２を押すと、送受信手段４３が通話改善要求信号を送信するように、制御手段４１が制御する。通話改善要求信号は、制御信号線Ｌｃを介して集合玄関機１０に送られ、集合玄関機１０の送受信手段１３が通話改善要求信号を受信する。集合玄関機１０の送受信手段１３が通話改善要求信号を受信すると、集合玄関機１０の制御手段１１が増幅率調整回路１９を制御する。増幅率調整回路１９が増幅手段１８の増幅率を所定値だけ高める。このために、来訪者の声の大きさが変わらなくても、大きな声で話すボタンＢ２を押す前よりも少し大きめの音声信号が増幅手段１８から出力されるので、居住者は来訪者の声が大きく聞こえるようになる。
【００５４】
なお、居住者が大きな声で話すボタンＢ２を押す回数に応じて、増幅率調整回路１９は増幅手段１８の増幅率を少しずつ高めるようにしてもよい。
【００５５】
インターホンシステム２００によれば、大きな声で話すボタンを操作すれば、来訪者の声が自動的に大きくなるので、来訪者の手を煩わせずに、住宅情報盤のスピーカからの声が大きくなり、居住者にとって来訪者の声を聞き易い。また、大きな声で話して下さいを表示する表示板１７２のバックライトが点灯しても、訪問者がその表示に気がつかないと、来訪者が大きな声を出さず、居住者にとって来訪者の声を聞き難い。しかし、インターホンシステム２００では、来訪者が大きな声を出さなくても、居住者からすると、来訪者の声が大きくなり、来訪者の声が確実に聞き易くなる。
【００５６】
実施例１、２は、集合住宅のインターホンシステムを例にしたが、本発明は玄関子機と住宅情報盤とからなる戸建てのインターホンシステムでも適用できる。その場合、玄関子機に表示手段１７が設けられる。
【符号の説明】
【００５７】
１００、２００…インターホンシステム、
１０…集合玄関機、
１７、１７ａ…表示手段、
１８…増幅手段、
１９…増幅率調整回路、
ＪＢ１０１…住宅情報盤、
４２…操作手段、
４２２…通話改善ボタン、
Ｂ１…ゆっくり話すボタン、
Ｂ２…大きな声で話すボタン。
【図１】
2011205325.tif 000003
【図２】
2011205325.tif 000004
【図３】
2011205325.tif 000005